(57)【要約】      （修正有）【課題】例えば従来の蛍光灯を内蔵するタイプの自動販売機の構成を変更することなく、エネルギー消費量の少ない自動販売機の照明体を提供する。【解決手段】照明体２１は、自動販売機の内部からその前面側に向けて照明光を透過させるものである。照明体２１は、筒状体２６の内挿される照明体本体２７の基体２８における上面および下面の長手方向に沿って、ＬＥＤ発光素子２９を備える。筒状体２６は、全体透過性を有するプラスチック材にて形成され、長手方向における各端部には連結プラグ３１が装着される。連結プラグ３１は、筒状体２６に内挿される照明体本体２７の対応する端部に備えられる接続端子３０と結合し、その外側には照明体２１を自動販売機の内部に支持するためのソケット端子に対し、上記対応する接続端子３０を電気的に接続するためのプラグ端子２２を備える。【選択図】図１
0003168537.tif 000002
【実用新案登録請求の範囲】
【請求項１】
販売する展示用商品を表象する各表示体を、上下複数段にマトリックス状に配列し、各表示体に対応する商品購入ボタンを各表示体に対応して備える自動販売機にあって、各表示体および商品購入ボタンに対し、自動販売機の内部からその前面側に向けて照明光を透過させ、各表示体および商品購入ボタンをその内部から照明し、マトリックス状に配列する各表示体および商品購入ボタンに対応し、上下複数段にその長手方向を横架する状態で配設してなる長尺管状の自動販売機用の照明体であって、
全体扁平で長尺状の基体の上面または下面の長手方向に所定ピッチでＬＥＤ発光素子を備えるようにし、長手方向における両端部に各ＬＥＤ発光素子に対して電力を供給する接続端子を備える照明体本体と、
全体透過性を有する材質にて形成され、上記照明体本体を内挿し、内部に位置決め可能とする全体長尺状の筒状体と、
筒状体の長手方向における各端部に装着され、筒状体に内挿される照明体本体の対応する端部に備えられる接続端子と結合し、各表示体および商品購入ボタンに対応し、上下複数段にその長手方向を横架する状態で照明体を自動販売機の内部に支持するためのソケット端子に対し、上記対応する接続端子を電気的に接続するためのプラグ端子を備えた連結プラグと、
を備えることを特徴とする自動販売機用の照明体。
【請求項２】
筒状体に内挿される照明体本体の各ＬＥＤ発光素子は、連結プラグのプラグ端子がソケット端子に接続する自動販売機の内部への支持状態において、その上方または下方に向けて光を照射可能に筒状体の内部に位置決め可能とされる請求項１に記載の自動販売機用の照明体。
【請求項３】
筒状体に内挿される照明体本体の各ＬＥＤ発光素子は、連結プラグのプラグ端子がソケット端子に接続する自動販売機の内部への支持状態において、マトリックス状に配列する各表示体および商品購入ボタンの横方向の配列ピッチに対応し、長尺状の基体の上面または下面の長手方向に所定ピッチで備えるものである請求項１に記載の自動販売機用の照明体。
【請求項４】
照明体本体の各ＬＥＤ発光素子は、長尺状の基体の上面と下面にそれぞれ備えられるものである請求項１に記載の自動販売機用の照明体。
【考案の詳細な説明】
【技術分野】
【０００１】
本考案は、清涼飲料、たばこ等の商品を販売する自動販売機にあって、販売する展示用商品を表象する表示体等をその内部から透過するようにして照明する自動販売機用の照明体に関する。
【背景技術】
【０００２】
自動販売機には、従来から様々なタイプのものが存在するが、その多くは下記特許文献１に示すように、例えば缶コーヒー、コーラ、ジュース、お茶など販売する展示用商品を表象する各表示体を、上下複数段にマトリックス状に配列し、各表示体に対応する商品購入ボタンを各表示体の下方に対応して備えるものが一般とされる。
【０００３】
例えば図７に示す自動販売機１は、商品としての清涼飲料の表示体２を、横方向に１２列、縦方向に４行配列してなり、各表示体２の下方にあって、対応する商品購入ボタン３を備えるようにしている。各表示体２および商品購入ボタン３の部分は、一般に透過性を有する合成樹脂製のパネル材等で形成するようにしている。自動販売機１の内部には、その前面側に向けて照明光を透過させ、各表示体２および商品購入ボタン３をその内部から照明し、マトリックス状に配列する各表示体２および商品購入ボタン３に対応し、上下複数段（図７では４段）にその長手方向を横架する状態で長尺状の蛍光管４（蛍光灯）が配設される。すなわち各蛍光管４は、自動販売機用の照明体として、上下４数段にその長手方向を横架する状態で自動販売機の内部に支持され、各蛍光管４は両端部に備えられるプラグ端子をソケット端子に接続する状態で配設される。
【０００４】
なお図７において、５は硬貨投入口、６は返却レバー、７は紙幣挿入口、８はドアロック、９は表示器、１０は商品取出口、１１は釣銭取出口である。
【先行技術文献】
【特許文献】
【０００５】
【特許文献１】特開２００７−７２５５４号公報
【考案の概要】
【考案が解決しようとする課題】
【０００６】
ところで、上記従来の自動販売機用の照明体は、各表示体２および商品購入ボタン３をその内部から照明するため、長尺状の蛍光管４（蛍光灯）を用いるようにしており、通常蛍光灯は４０Ｗのものを用いるようにしている。すなわち、図７に示す自動販売機１の場合、各表示体２および商品購入ボタン３を照明するため、４０Ｗの蛍光灯を４本が必要となり、夜間こうした蛍光灯を照光させるための待機電力が常時必要となるため、省エネルギーの面で見直しが進められている。その一環として、従来人が自動販売機の前に立った場合にのみ照明の照光を可能とする人感センサを設置している自動販売機もあるが、こうした自動販売機は人がその前を通行する度に人感センサが反応して照明が点灯するため、煩わしいものとされていた。
【０００７】
本考案は、このような従来の不具合を解消しようとするものであり、その目的は、例えば従来の蛍光灯を内蔵するタイプの自動販売機の構成を変更することなく、エネルギー消費量の少ない自動販売機用の照明体を提供することを目的とするものである。
【課題を解決するための手段】
【０００８】
上述のような本考案の目的を達成するために、本願の請求項１に記載の考案は、    販売する展示用商品を表象する各表示体を、上下複数段にマトリックス状に配列し、さらに各表示体に対応する商品購入ボタンを備える自動販売機にあって、各表示体および商品購入ボタンに対し、自動販売機の内部からその前面側に向けて照明光を透過させ、各表示体および商品購入ボタンをその内部から照明し、マトリックス状に配列する各表示体および商品購入ボタンに対応し、上下複数段にその長手方向を横架する状態で配設してなる長尺管状の自動販売機用の照明体であって、全体扁平で長尺状の基体の上面または下面の長手方向に所定ピッチでＬＥＤ発光素子を備えるようにし、長手方向における両端部に各ＬＥＤ発光素子に対して電力を供給する接続端子を備える照明体本体と、全体透過性を有する材質にて形成され、上記照明体本体を内挿し、内部に位置決め可能とする全体長尺状の筒状体と、筒状体の長手方向における各端部に装着され、筒状体に内挿される照明体本体の対応する端部に備えられる接続端子と結合し、各表示体および商品購入ボタンに対応し、上下複数段にその長手方向を横架する状態で照明体を自動販売機の内部に支持するためのソケット端子に対し、上記対応する接続端子を電気的に接続するためのプラグ端子を備えた連結プラグと、を備えることを特徴とする自動販売機用の照明体を提供するものである。
【０００９】
また、本願の請求項２に記載の考案は、請求項１に記載の考案に加えて、筒状体に内挿される照明体本体の各ＬＥＤ発光素子を、連結プラグのプラグ端子がソケット端子に接続する自動販売機の内部への支持状態において、その上方または下方に向けて光を照射可能に筒状体の内部に位置決め可能としたものである。
【００１０】
また、本願の請求項３に記載の考案は、請求項１に記載の考案に加えて、筒状体に内挿される照明体本体の各ＬＥＤ発光素子を、連結プラグのプラグ端子がソケット端子に接続する自動販売機の内部への支持状態において、マトリックス状に配列する各表示体および商品購入ボタンの横方向の配列ピッチに対応し、長尺状の基体の上面または下面の長手方向に所定ピッチで備えるようにしたものである。
【００１１】
また、本願の請求項４に記載の考案は、請求項１に記載の考案に加えて、照明体本体の各ＬＥＤ発光素子を、長尺状の基体の上面と下面にそれぞれ備えるようにしたものである。
【考案の効果】
【００１２】
本考案に係る自動販売機用の照明体によれば、各表示体および商品購入ボタンに対し、自動販売機の内部からその前面側に向けて照明光を透過させ、各表示体および商品購入ボタンをその内部から照明し、マトリックス状に配列する各表示体および商品購入ボタンに対応し、上下複数段にその長手方向を横架する状態で配設する従来の蛍光灯を内蔵するタイプの自動販売機の構成を変更することなく、
全体扁平で長尺状の基体の上面または下面の長手方向に所定ピッチでＬＥＤ発光素子を備えるようにし、長手方向における両端部に各ＬＥＤ発光素子に対して電力を供給する接続端子を備える照明体本体と、全体透過性を有する材質にて形成され、上記照明体本体を内挿し、内部に位置決め可能とする全体長尺状の筒状体と、筒状体の長手方向における各端部に装着され、筒状体に内挿される照明体本体の対応する端部に備えられる接続端子と結合し、各表示体および商品購入ボタンに対応し、上下複数段にその長手方向を横架する状態で照明体を自動販売機の内部に支持するためのソケット端子に対し、上記対応する接続端子を電気的に接続するためのプラグ端子を備えた連結プラグと、により照明体を構成したため、消費電力が少ないＬＥＤ発光素子により、効率的に各表示体および商品購入ボタンをその内部から照明することが可能となり、エネルギー消費量の少ない自動販売機の照明体を提供することができるという効果がある。
【図面の簡単な説明】
【００１３】
【図１】本考案の実施形態に係る自動販売機用の照明体の分解状態を示す斜視図である。
【図２】本考案の実施形態に係る自動販売機用の照明体を自動販売機の内部のソケット端子に対し、支持する状態を示す斜視図である。
【図３】筒状体の内部に照明体本体を内挿する状態を示す斜視図である。
【図４】図７のＩＶ部に対応し、自動販売機の内部の照明体の配設状態を示す横断面図である。
【図５】図４のＶ−Ｖ線に沿う断面図である。
【図６】図７のＶＩ部に対応する自動販売機の内部の照明体の配設状態を示す横断面図である。
【図７】従来または実施形態に係る自動販売機用の照明体を、その内部に配設する自動販売機の全体を示す正面図である。
【考案を実施するための形態】
【００１４】
図２示す本考案の実施形態に係る自動販売機用の照明体２１は、図７に示す従来の自動販売機１の内部において、従来の蛍光管４（蛍光灯）と同様に上下４数段にその長手方向をＸ方向にして、水平状態に横架する状態で自動販売機の内部に支持され、図２に示すように照明体２１は両端部に備えられるプラグ端子２２をソケット端子２３に接続する状態で配設される。
【００１５】
すなわち、図７に示す自動販売機１は、商品としての清涼飲料の表示体２を、横方向に１２列、縦方向に４行配列してなり、各表示体２の下方にあって、対応する商品購入ボタン３を備えるようにしている。各表示体２および商品購入ボタン３の部分は、一般に透過性を有する合成樹脂製のパネル材等で形成され、全体光透過性を備えるようにしてなる。各照明体２１は、自動販売機１の内部でその前面側に向けて照明光を透過させ、各表示体２および商品購入ボタン３をその内部から照明し、マトリックス状に配列する各表示体２および商品購入ボタン３に対応し、上下複数段（図７では４段）にその長手方向を図７のＸ方向に横架する状態で配設される。
【００１６】
ここで販売する展示用商品を表象する各表示体２は、例えば缶コーヒー、コーラ、ジュース、お茶などの商品の外観を表した凸状部分に、当該商品の外観を表すフイルム貼着して形成される（図４，図６参照）。すなわち各表示体２は、光透過性を備えたパネル材の表面にフイルム材を貼り付けるようにして形成される。各表示体２の下方には、価格表示、「つめたい」と「あたたかい」の別を示す表示部分２４が備えられる（図４、図６参照）。表示部分２４の下方の対応部分には、表示体２に対応する商品が売り切れの場合、「売切」の表示をＬＥＤで点灯する売切表示部２５が備えられ、売切表示部２５のさらに下方には上記商品購入ボタン３が備えられる。
【００１７】
ここで自動販売機用の内部において、両端部を図２に示すソケット端子２３に接続する状態で配設される各照明体２１は、従来の蛍光管４と同様の外観からなるものの、その構成は図３に示すように全体長尺状で、円筒形の筒状体２６の内部に全体扁平で長尺状の照明体本体２７を内挿し、内部に位置決めして構成される。すなわち、照明体２１は図７に示すように各表示体２および商品購入ボタン３に対応し、上下４段にその長手方向をＸ方向に横架する状態で自動販売機１の内部において、対応するソケット端子２３に支持されてなる。このうち上方３段にそれぞれ配設される各照明体２１（図４参照）は、筒状体２６の内部に、上面および下面の長手方向に沿って所定ピッチＰをもってＬＥＤ発光素子２９を備えた長尺状の基体２８を内挿し、位置決めしてなる。これに対し、最下段に配設される照明体２１（図６参照）は、筒状体２６の内部に、上面の長手方向に沿って所定ピッチＰをもってＬＥＤ発光素子２９を備えた長尺状の基体２８を内挿し、位置決めしてなる。
【００１８】
長尺状の照明体本体２７は、基体２８の長手方向における両端部に各ＬＥＤ発光素子２９に対して電力を供給する接続端子３０を備える。一方、照明体本体２７をその内部に位置決めする筒状体２６は、全体透過性を有するプラスチック材にて形成され、その長手方向における各端部には連結プラグ３１が装着される。連結プラグ３１は、筒状体２６に内挿される照明体本体２７の対応する端部に備えられる接続端子３０と結合し、その外側には照明体２１を自動販売機１の内部に支持するためのソケット端子２３に対し、上記対応する接続端子３０を電気的に接続するためのプラグ端子２２を備えるものとされる。
【００１９】
ここで図４に示す筒状体２６に内挿される照明体本体２７に備えられる各ＬＥＤ発光素子２９は、図７に示す連結プラグ３１のプラグ端子２２がソケット端子２３に接続し、自動販売機１の内部に支持される状態において、その上方および下方に向けて発光される光が照射可能となるよう筒状体２６の内部に位置決めされる（図５参照）。この結果、照明体２１はその上下に位置される各表示体２および商品購入ボタン３の部分を、その内部から照明することが可能となる。
【００２０】
また図６に示す筒状体２６に内挿される照明体本体２７に備えられる各ＬＥＤ発光素子２９は、図７に示す連結プラグ３１のプラグ端子２２がソケット端子２３に接続し、自動販売機１の内部に支持される状態において、その上方に向けて発光される光が照射可能となるよう筒状体２６の内部に位置決めされる。この結果、該照明体２１はその上方に位置される各表示体２および商品購入ボタン３の部分を、その内部から照明することが可能となる。
【００２１】
図４に示す状態で筒状体２６に内挿される状態で位置決めされる照明体本体２７の各ＬＥＤ発光素子２９は、連結プラグ３１のプラグ端子２２がソケット端子２３に接続する自動販売機の内部への支持状態において、マトリックス状に配列する各表示体２および商品購入ボタン３の横方向の配列ピッチＰに対応し、長尺状の基体２８の上面および下面の長手方向において、所定ピッチＰで備えられるよう配設される（図１、図４参照）。また図６に示す状態で筒状体２６に内挿される状態で位置決めされる照明体本体２７の各ＬＥＤ発光素子２９は、連結プラグ３１のプラグ端子２２がソケット端子２３に接続する自動販売機の内部への支持状態において、マトリックス状に配列する各表示体２および商品購入ボタン３の横方向の配列ピッチＰに対応し、長尺状の基体２８の上面の長手方向において、所定ピッチＰで備えられるよう配設される（図１、図６参照）。こうした各ＬＥＤ発光素子２９の配列により、自動販売機１の利用者としての看者に向け、少量の照明光でも効率的に表示させたい部分（各表示体２および商品購入ボタン３の部分）を透過させて表示することが可能となる。
【００２２】
ちなみに従来の蛍光管４（蛍光灯）が１本あたり４０Ｗの消費電力であるのに対し、本実施形態に係るＬＥＤ発光素子２９をその上下位置に備える図４に示す照明体本体２７では、１本あたり１２Ｗ程度の消費電力しかなく、従来に比べて自動販売機において照明に費やす消費電力を３分の１以下押さえることが可能となる。この結果、従来の蛍光灯を内蔵するタイプの自動販売機の構成を変更することなく、エネルギー消費量の少ない自動販売機用の照明体を提供することが可能となる。
【００２３】
なお、上記実施形態において図４に示す照明体２１は、筒状体２６の内挿される照明体本体２７の基体２８における上面および下面の長手方向に沿って、所定ピッチＰをもってＬＥＤ発光素子２９を備えることとし、また図６に示す照明体２１は、筒状体２６の内挿される照明体本体２７における基体２８の上面の長手方向に沿って、所定ピッチＰをもってＬＥＤ発光素子２９を備えることとしているが、長尺状の基体２８の下面の長手方向に沿って、所定ピッチＰをもってＬＥＤ発光素子２９を備えることとしてもよい。
【産業上の利用可能性】
【００２４】
以上のように、本考案は、エネルギー消費量の少ない自動販売機用の照明体を提供することができるため、既存の自動販売機における蛍光管の代替品としての省エネルギー製品を市場に提供することが可能となる。
【符号の説明】
【００２５】
１        自動販売機
２        表示体
３        商品購入ボタン
４        蛍光管（蛍光灯）
５        硬貨投入口
６        返却レバー
７        紙幣挿入口
８        ドアロック
９        表示器
１０        商品取出口
１１        釣銭取出口
２１        照明体
２２        プラグ端子
２３        ソケット端子
２４        表示部分
２５        売切表示部
２６        筒状体
２７        照明体本体
２８        基体
２９        ＬＥＤ発光素子
３０        接続端子
３１        連結プラグ
【図１】
0003168537.tif 000003
【図２】
0003168537.tif 000004
【図４】
0003168537.tif 000005
【図５】
0003168537.tif 000006
【図６】
0003168537.tif 000007
【図７】
0003168537.tif 000008
【図３】
0003168537.tif 000009